(57)【特許請求の範囲】
【請求項１】
第一表示パターンおよびこの第一表示パターンの下部に隣接する第二表示パターンによって出力レベル表示を行う音響装置であって、
出力レベルを検知する検知手段と、
前記検知手段によって検知された出力レベルが第一の所定値より小さくなると、前記第一表示パターンを下降させていくことにより、前記第二表示パターンの領域を上部から減少させていく出力レベル表示データを順次作成し、また前記検知手段によって検知された出力レベルが第二の所定値より大きくなると、前記出力レベルに応じて第二表示パターンを水平方向に移動させた出力レベル表示データを作成する表示データ作成手段と、
前記出力レベル表示データを表示する表示手段と、
前記検知手段に出力レベル検知命令を与え、前記検知手段によって検知された出力レベルに基づいた出力レベル表示データを前記表示データ作成手段に作成させ、この出力レベル表示データを前記表示手段に与えて表示させる制御手段とを具備することを特徴とする音響装置。
【発明の詳細な説明】
【０００１】
【産業上の利用分野】
出力レベル表示機能を有する音響装置に関する。
【０００２】
【従来の技術】
従来このような表示部に出力レベル表示機能を有する音響装置においては、図４に示すように、出力レベル変化を各バンドごとに縦棒グラフ状に表示するスペアナ（Spectrum Analysis ）表示が一般的である。
【０００３】
また縦棒グラフによるスペアナ表示が退屈であるため、レベル値に対応して変化するイメージを用いて表示する場合もある。
【０００４】
【発明が解決しようとする課題】
しかしながら上記従来の音響装置においてイメージ表示を行う場合、表示イメージの変化と出力レベル変化がどのように対応するのか判りにくいという問題点があった。
【０００５】
本発明はこのような従来の問題点を解決するものであり、退屈せず、出力レベルを容易に認識できる音響装置を提供することを目的とするものである。
【０００６】
【課題を解決するための手段】
上記の目的を達成するために本発明の音響装置は、第一表示パターンおよびこの第一表示パターンの下部に隣接する第二表示パターンによって出力レベル表示を行うものであって、出力レベルを検知する検知手段と、前記検知手段によって検知された出力レベルが第一の所定値より小さくなると、前記第一表示パターンを下降させていくことにより、前記第二表示パターンの領域を上部から減少させていく出力レベル表示データを順次作成し、また前記検知手段によって検知された出力レベルが第二の所定値より大きくなると、前記出力レベルに応じて第二表示パターンを水平方向に移動させた出力レベル表示データを作成する表示データ作成手段と、前記出力レベル表示データを表示する表示手段と、前記検知手段に出力レベル検知命令を与え、前記検知手段によって検知された出力レベルに基づいた出力レベル表示データを前記表示データ作成手段に作成させ、この出力レベル表示データを前記表示手段に与えて表示させる制御手段とを具備することを特徴とする。
【０００７】
【作用】
従って本発明によれば、制御手段は、検知手段に出力レベル検知命令を与えて出力レベルを検知し、表示デ−タ作成手段を動作させて、検知手段によって検知された出力レベルが第一の所定値より小さくなると、前記第一表示パターンを下降させていくことにより、前記第二表示パターンの領域を上部から減少させていく出力レベル表示デ−タを順次作成し、また検知手段によって検知された出力レベルが第二の所定値より大きくなると、前記出力レベルに応じて第一表示パターンを水平方向に移動させた出力レベル表示デ−タを作成し、この出力レベル表示デ−タを表示手段に表示することによって、退屈せず、出力レベルを容易に認識できる。
【０００８】
【実施例】
図１は本発明の実施例の構成を示すシステムブロック図である。
【０００９】
図１において、１０１は音響装置本体であり、１１３はディスクチェンジャである。
【００１０】
音響装置本体１０１は、メインマイコン１０２、チューナー１０３、表示部１０４、記憶部１０５、操作部１０６、外部スピーカ１０９に出力を供給するアンプ１０７、ソース切換スイッチ１０８、表示部スレーブマイコン１１１、ＤＳＰ１１０、ＤＳＰコントローラ１１２、出力レベル検知回路１２０等を主に内蔵している。
【００１１】
ディスクチェンジャ１１３は、ディスクチェンジャスレーブマイコン１１４、メカニズム部１１５、再生回路１１６によって構成される。
【００１２】
メインマイコン１０２はディスクチェンジャスレーブマイコン１１４とデータ通信線１１７により接続されており、操作部１０６から入力された各種の命令に従って、チューナー１０３、記憶部１０５、ソース切換スイッチ１０８、表示部スレーブマイコン１１１、ディスクチェンジャスレーブマイコン１１４等を制御する。
【００１３】
出力レベル検知回路１２０は、表示部スレーブマイコン１１１から入力される出力レベル検知命令に従って、ＤＳＰ１１０より入力された音声出力信号の最大レベル値を検知し、検知した最大レベル値に該当するレベル階層を示すデータを表示部スレーブマイコン１１１に送る。
【００１４】
表示部スレーブマイコン１１１は、タイマーとして用いられるカウンタおよび目玉カウンタを有し、メインマイコン１０２からの命令に従って表示部１０４および出力レベル検知回路１２０を制御し、出力レベル検知回路１２０より入力された音声出力信号の最大レベル値のレベル階層を示すデータおよび目玉カウンタの値に基づいて、出力レベル表示データを作成し、この出力レベル表示データを表示部１０４に送って出力レベル表示領域１２１に表示させる。また装置の動作状態等を示す各種の文字データやステイタスデータを表示部１０４に送って表示させる。
【００１５】
表示部１０４は出力レベルを表示する出力レベル表示領域１２１を含む液晶ディスプレイ等を有し、表示部スレーブマイコン１１１からの命令に従って、表示部スレーブマイコン１１１より入力される出力レベル表示データ等を表示する。
【００１６】
記憶部１０５はリセット時のデータ等を記憶したＲＯＭ１１８、チューナー１０３のプリセット受信周波数データ等を記憶するＲＡＭ１１９等によって構成される。
【００１７】
ディスクチェンジャスレーブマイコン１１４はメインマイコン１０２からの命令に従って、メカニズム部１１５および再生回路１１６を制御する。
【００１８】
メカニズム部１１５は複数のディスクを格納しており、ディスクチェンジャスレーブマイコン１１４からセッティング命令のあったディスクを再生機構にセットする。
【００１９】
再生回路１１６はディスクチェンジャスレーブマイコン１１４からの命令に従って、メカニズム部１１５再生機構にセットされたディスクを再生する。
【００２０】
ソース切換スイッチ１０８はメインマイコン１０２からの命令に従って、チューナ１０３の出力または再生回路１１６の出力を選択してＤＳＰ１１０に送る。
【００２１】
次に上記の構成を有する本実施例の出力レベル表示動作について説明する。
【００２２】
図２は本発明の実施例における出力レベル表示動作を示すフローチャートである。
【００２３】
また、図３は本発明の実施例における出力レベル表示の一例を示す説明図である。
【００２４】
上記の実施例においては、ユーザーが音響装置本体１０１の電源スイッチ（図示せず）をＯＮし、続いて操作部１０６を操作することによって、出力ソースを選択し、受信するラジオ局、あるいは再生するディスク、曲名等を入力すると、チューナ１０３あるいは再生回路１１６による音声出力信号がソース切換スイッチ１０８を介してＤＳＰ１１０に供給され、ＤＳＰ１１０によって整形された音声出力信号がアンプ１０７を介して外部スピーカに供給され始める。
【００２５】
図２のステップ２０１において、ユーザーが音響装置本体１０１の電源スイッチ（図示せず）をＯＮすると、表示部スレーブマイコン１１１は、目玉カウンタの初期値を０に設定する。
【００２６】
次にステップ２０２において表示部スレーブマイコン１１１は、出力レベル検知回路１２０に出力レベル検出命令を送り、出力レベル検知回路１２０は、ＤＳＰ１１０より出力される出力音声信号の最大レベル値を検知し、検知した最大レベル値が該当するレベル階層を示すデータを表示部スレーブマイコン１１１に送る。
【００２７】
このレベル階層は、例えば出力音声信号のレンジを５階層に分けたものであり、各階層をレベル０〜レベル４（レベル０＜レベル１＜レベル２＜レベル３＜レベル４）とし、出力音声信号の分解能を２５６、すなわち出力音声信号の最大レベル値は０〜２５５の値をとるものとすると、各レベル階層を例えば次のように設定する。
【００２８】
最大レベル値≦５０  のとき、レベル０
５０＜最大レベル値≦８０  のとき、レベル１
８０＜最大レベル値≦１３０のとき、レベル２
１３０＜最大レベル値≦２００のとき、レベル３
２００＜最大レベル値        のとき、レベル４
ステップ２０３において、出力レベル検知回路１２０による出力レベル検知結果がレベル０であればステップ２０４に進む。
【００２９】
ステップ２０４において、目玉カウンタの値が最大であるか、または前サイクルにおいてインクリメントされていなければステップ２０５に進む。
【００３０】
ステップ２０５において、目玉カウンタの値が０であれば、ステップ２０７に進む。
【００３１】
ステップ２０７において表示部スレーブマイコン１１１は、目玉カウンタ＝０に応じた出力レベル表示データ、すなわち上目蓋を完全に閉じたイメージを示す出力レベル表示データを作成し、この出力レベル表示データを表示部１０４に送り出力レベル表示領域１２１に表示させる。
【００３２】
図３の３０１は上記の出力レベル表示を示すものであり、上目蓋のイメージを示す第一表示パターンである表示３１１が出力レベル表示領域１２１の最下部に位置する。
【００３３】
図２に戻りステップ２０８において表示部スレーブマイコン１１１は、表示時間のカウントを開始し、ステップ２０９において、表示時間のカウント値を逐次検出して、規定の表示時間が経過したところで出力レベル表示の１サイクルを終え、ステップ２０２に戻り、再びステップ２０３に進む。
【００３４】
この規定表示時間は予め設定されているものであり、出力レベル検知回路１２０によって出力レベル検知を行う間隔を決めるものである。例えばこの出力レベル検知を行う間隔が１００［ｍｓ］となるように規定表示時間を設定する。
【００３５】
次にステップ２０３において、出力レベル検知回路１２０による出力レベル検知結果がレベル０でなければステップ２１１に進む。
【００３６】
ステップ２１１において、目玉カウンタの値が最大値でなければステップ２１２に進む。
【００３７】
ステップ２１２において表示部スレーブマイコン１１１は、目玉カウンタをインクリメントし、ステップ２１３において、目玉カウンタ値の増加に応じて上目蓋を開けていき、目玉カウンタ＝最大値の場合に上目蓋を完全に開けたイメージを示す出力レベル表示データを作成し、この出力レベル表示データを表示部１０４に送り出力レベル表示領域１２１に表示させ、ステップ２０８に進む。
【００３８】
また目玉カウンタ値が最大となる前にレベル０に戻ったときにも、目玉カウンタ値が最大値となるまで、ステップ２０４を介してステップ２１２に進む。
【００３９】
このようにレベル０でなくなると、目玉カウンタ値が最大値となるまでステップ２１２、ステップ２１３を実施するサイクルを繰り返す。
【００４０】
図３において、３０２は目玉カウンタ＝１のときの出力レベル表示、３０３は目玉カウンタ＝２のときの出力レベル表示、３０４は目玉カウンタ＝最大のときの出力レベル表示を示す。
【００４１】
上記の目玉カウンタがインクリメントしていく各サイクルにおいては、出力レベル表示は３０１、３０２、３０３・・・３０４と順次変化していき、目玉カウンタ値の増加に応じて上目蓋を示す表示３１１が上昇し、黒目を示す第二の表示パターンである表示３１２が上目蓋表示３１１の下部中央に表示される。
【００４２】
次に図２に戻り、レベル０が検知され、目玉カウンタ＝最大または前サイクルにおいてインクリメントされておらず、かつ目玉カウンタ＝０でない場合は、ステップ２０３、２０４、２０５を介してステップ２０６に進む。
【００４３】
ステップ２０６において表示部スレーブマイコン１１１は、目玉カウンタをデクリメントし、ステップ２０７において、目玉カウンタ値の減少に応じて上目蓋を閉じていくイメージを示す出力レベル表示データを作成し、この出力レベル表示データを表示部１０４に送り出力レベル表示領域１２１に表示させ、ステップ２０８に進む。
【００４４】
次に目玉カウンタ＝最大で、かつレベル２以上が検知されると、ステップ２０３、２１１を介してステップ２１４に進み、ステップ２１４においてＮＯとなるのでステップ２１６に進む。
【００４５】
ステップ２１６において表示部スレーブマイコン１１１は、検知されたレベル階層に応じて黒目を一方向（左または右方向）に移動するイメージを示す出力レベル表示データを作成し、この出力レベル表示データを表示部１０４に送り出力レベル表示領域１２１に表示させ、ステップ２０８に進む。
【００４６】
そしてレベル２以上が検知されている間は上記のサイクルを繰り返す。
【００４７】
図３において、３０５はレベル１のときの出力レベル表示、３０６はレベル２のときの出力レベル表示、３０７はレベル３のときの出力レベル表示、３０８はレベル４のときの出力レベル表示をそれぞれ示す。
【００４８】
尚、図３に示す出力レベル表示は、黒目の移動方向が左に設定されているときのものである。またレベル１の出力レベル表示３０５は目玉カウンタ＝最大のときの出力レベル表示３０４と同一である。
【００４９】
次に図２に戻り、再びレベル１が検出されると、ステップ２０３、２１１を介してステップ２１４に進み、ステップ２１４において、前サイクルにおける検知されたレベル階層より下がってレベル１となったのであるから、ステップ２１５に進む。
【００５０】
ステップ２１５において表示部スレーブマイコン１１１は、黒目の移動方向の設定を左右反転する。
【００５１】
続いてステップ２１６において表示部スレーブマイコン１１１は、図３に示すレベル１の出力レベル表示３０４を、表示部１０４の出力レベル表示領域１２１に表示させる。
【００５２】
そして再び目玉カウンタ＝最大で、かつレベル２以上が検知されると、今度は検知されたレベル階層に応じて前回と反対の方向に黒目が移動するイメージを示す出力レベル表示が行われる。すなわち図３の出力レベル表示３０６〜３０８においては、今度は黒目表示３１２が右方向に移動したものとなる。
【００５３】
このように上記の実施例によれば、表示部スレーブマイコン１１１は、出力レベル検知回路１２０に出力レベル検知命令を与え、出力レベル検知回路１２０によって出力レベルの最大値を検知し、この最大値に該当するレベル階層がレベル０となったときは、上目蓋を閉じていくイメージを示す出力レベル表示データを順次作成し、また前記最大値に該当するレベル階層がレベル２以上となったときは、該当レベル階層に応じて、黒目を一方向に移動したイメージを示す出力レベル表示データを作成し、この出力レベル表示デ−タを表示部１０４の出力レベル表示領域１２１に表示することによって、該当レベル階層によって出力レベル表示の変化の仕方が変わるイメージ表示を行うので、退屈せず、出力レベル表示であっても出力レベルを容易に認識できる。
【００５４】
【発明の効果】
本発明は上記の実施例より明らかなように、出力レベル検知回路によって出力レベルの最大値を検知し、表示部スレーブマイコンによって、この最大値に該当するレベル階層がレベル０となったときは、上目蓋を閉じていくイメージを示す出力レベル表示データを順次作成し、また前記最大値に該当するレベル階層がレベル２以上となったときは、該当レベル階層に応じて、黒目を一方向に移動したイメージを示す出力レベル表示データを作成し、この出力レベル表示デ−タを表示部に表示することによって、該当レベル階層によって出力レベル表示の変化の仕方が変わるイメージ表示を行うので、退屈せず、出力レベルを容易に認識できるという効果を有する。
【図面の簡単な説明】
【図１】本発明の実施例の構成を示すシステムブロック図である。
【図２】本発明の実施例における出力レベル表示動作を示すフローチャートである。
【図３】本発明の実施例における出力レベル表示の一例を示す説明図である。
【図４】従来の出力レベル表示の一例を示す説明図である。
【符号の説明】
１０１  音響装置本体
１０２  メインマイコン
１０３  チューナー
１０４  表示部
１０５  記憶部
１０６  操作部
１０７  アンプ
１０８  ソース切換スイッチ
１０９  外部スピーカ
１１０  ＤＳＰ
１１１  表示部スレーブマイコン
１１２  ＤＳＰコントローラ
１１３  ディスクチェンジャ
１１４  ディスクチェンジャスレーブマイコン
１１５  メカニズム部
１１６  再生回路
１１７  データ通信線
１１８  ＲＯＭ
１１９  ＲＡＭ
１２０  出力レベル検知回路
【図１】
0003714993.tif 000002
【図２】
0003714993.tif 000003
【図３】
0003714993.tif 000004
【図４】
0003714993.tif 000005